(57)【要約】【課題】  放送局側に新たな変更を加えずに、テレビ受信機能付き携帯電話端末を利用し、臨時ニュース等の内容を他の登録済み携帯電話端末宛にメールで通知する。【解決手段】  アラーム判別部１０７は、ＴＶチューナ部１０３が出力する音声信号からアラーム音の周波数成分を抽出しそのレベルが予め定めた閾値を超え且つある一定のパターンと同一か否かを判別する。テロップ判別部１０６は、テレビ画面上に予め定めたテロップ領域の走査線内の信号が予め登録されている緊急情報を示す白色信号パターンに該当するか否かを判別する。緊急情報認識部１０４１はアラーム判別部１０７及びテロップ判別部１０６の判別結果に基づき緊急情報を受信したことを認識する。録画制御部１０４２は緊急情報認識部１０４１の指示に基づき当該のテレビ画面の録画制御を行いメモリ１０５への保存を行う。メール編集部１０４３は録画した緊急情報の動画データをメールに添付し予め登録した宛先へ送信する。【選択図】      図１
2005117584.tif 000002
【特許請求の範囲】
【請求項１】
テレビ受信機能付きの携帯電話端末であって、放送局から送信される所定のアラーム音を検出すると共にテレビ画面のテロップ領域内の文字色信号パターンを識別し緊急情報を受信したことを認識する制御手段を備えることを特徴とする携帯電話端末。
【請求項２】
前記制御手段は、前記緊急情報の受信を認識し当該のテレビ画面を録画することを特徴とする請求項１記載の携帯電話端末。
【請求項３】
前記制御手段は、前記録画したテレビの動画データをメールに添付し予め登録した宛先へ送信することを特徴とする請求項２記載の携帯電話端末。
【請求項４】
前記制御手段は、前記録画したテレビの動画データを静止画データに変換した後この静止画データをメールに添付し予め登録した宛先へ送信することを特徴とする請求項２記載の携帯電話端末。
【請求項５】
前記制御手段は、変換した静止画データの文字テロップ領域の文字情報をテキストデータに変換し、メール本文に編集して予め登録した宛先へ送信することを特徴とする請求項４記載の携帯電話端末。
【請求項６】
前記制御手段は、ユーザ指定に基づき前記緊急情報の識別通知機能のオン・オフ設定を行うことを特徴とする請求項１から５いずれか１項に記載の携帯電話端末。
【請求項７】
受信したテレビ放送の電波を検波するチューナ部を有するテレビ受信機能付きの携帯電話端末であって、前記チューナ部が出力するアナログ音声信号からアラーム音の周波数成分を抽出しその周波数成分のレベルが予め定めたしきい値を超え且つある一定のパターンと同一であるか否かを判別するアラーム判別部と、前記チューナ部が出力する映像信号によるテレビ画面上に予め定めたテロップ領域の走査線内の信号が予め登録されている複数の緊急情報のいずれかを示す信号パターンに該当するか否かを判別するテロップ判別部と、自携帯電話端末の各部を制御する中央制御部とを備え、前記中央制御部は、前記アラーム判別部および前記テロップ判別部の判別結果に基づき緊急情報を受信したことを認識する緊急情報認識部と、前記緊急情報認識部の指示に基づき当該のテレビ画面の録画制御を行い携帯電話端末内蔵のメモリへの保存を行う録画制御部と、前記録画した緊急情報の動画データをメールに添付し予め登録した宛先へ送信するメール編集部とを備えることを特徴とする携帯電話端末。
【請求項８】
受信したテレビ放送の電波を検波するチューナ部を有するテレビ受信機能付きの携帯電話端末であって、前記チューナ部が出力するアナログ音声信号からアラーム音の周波数成分を抽出しその周波数成分のレベルが予め定めたしきい値を超え且つある一定のパターンと同一であるか否かを判別するアラーム判別部と、前記チューナ部が出力する映像信号によるテレビ画面上に予め定めたテロップ領域の走査線内の信号が予め登録されている複数の緊急情報のいずれかを示す信号パターンに該当するか否かを判別するテロップ判別部と、中央制御部とを備え、前記中央制御部は、前記アラーム判別部および前記テロップ判別部の判別結果に基づき緊急情報を受信したことを認識する緊急情報認識部と、前記緊急情報認識部の指示に基づき当該のテレビ画面の録画制御を行い携帯電話端末内蔵のメモリへの保存を行う録画制御部と、前記メモリに保存された動画データを読出し文字テロップの文面が変更になった画面を静止画データに変換し前記メモリに書き込む画像変換部と、前記画像変換部によって変換された静止画データをメールに添付し予め登録した宛先へ送信するメール編集部とを備えることを特徴とする携帯電話端末。
【請求項９】
前記中央制御部は、静止画像のテロップ部分を文字認識してテキスト変換する文字認識部と、前記文字認識部によりテキスト変換された文字情報をメールの本文として編集すると共に前記画像変換部によって変換された静止画データをメールに添付し予め登録した宛先へ送信するメール編集部とを備えることを特徴とする請求項８記載の携帯電話端末。
【請求項１０】
テレビ受信機能付きの携帯電話端末によって受信したテレビ放送の緊急情報を通知する携帯電話端末における緊急情報通知方法であって、受信したテレビ放送の音声信号の中に所定のアラーム音が存在するか否かを検出するステップと、受信したテレビ放送の映像信号の中のテレビ画面の指定領域に所定のテロップが存在するか否かを検出するステップと、前記アラーム音および前記テロップが存在することで緊急情報の発生を認識するステップと、前記緊急情報の発生により当該のテレビ画面の録画を開始するステップと、前記緊急情報の放送終了を検出するステップと、この放送終了により当該テレビ画面の録画を終了させるステップと、前記録画終了後この録画データを自携帯電話端末のメモリに保存するステップとを有することを特徴とする携帯電話端末における緊急情報通知方法。
【請求項１１】
前記緊急情報の発生を認識するステップは、テレビ放送受信後、視聴中のチャネルで使用するアラーム音の周波数成分を自携帯電話端末のメモリから読出すステップと、受信したテレビの音声信号からアラーム音の周波数成分を抽出し前記メモリから読出した周波数成分と比較するステップと、この比較の結果アラーム音の周波数成分の存在を確認するステップと、アラーム音が存在する場合このアラーム音の周波数成分のレベルがしきい値以上で且つ一定のパターンであることを確認するステップと、受信したテレビの映像信号からテレビ画面の指定領域内の信号パターンを抽出するステップと、この抽出した信号パターンが前記メモリ内に予め登録したいずれかのパターンに該当することを確認するステップとを含むことを特徴とする請求項１０記載の携帯電話端末における緊急情報通知方法。
【請求項１２】
前記メモリに保存された録画データを読出すステップと、この読出した録画データをメールに添付するステップと、自携帯電話端末のアドレス帳より予め登録した特定のグループ読出すステップと、この読出した宛先へ前記録画データが添付されたメールを送信するステップとを有することを特徴とする請求項１０記載の携帯電話端末における緊急情報通知方法。
【請求項１３】
前記メモリ内に保存された録画データを読出すステップと、最初の一画面分を静止画として前記メモリに保存するステップと、次画面のテロップ表示領域の信号パターンをモニタしこの信号パターンが前画面と同一か否かを確認するステップと、この確認結果同一でないときには一画面分を静止画として前記メモリに保存するステップと、次の画面が存在するか否かを確認するステップと、次の画面が存在しないとき前記メモリに保存された全てのテレビの静止画データを読出すステップと、この読出した静止画データをメールに添付するステップと、自携帯電話端末のアドレス帳より予め登録した特定のグループを読出すステップと、この読出した宛先へ録画データが添付されたメールを送信するステップとを有することを特徴とする請求項１０記載の携帯電話端末における緊急情報通知方法。
【請求項１４】
全ての静止画像のテロップ部分のみを文字認識しテキストに変換するステップと、この変換した内容をメール文章に編集するステップと、この編集したメールを前記静止画データと共に予め登録した宛先へ送信するステップとを有することを特徴とする請求項１３記載の携帯電話端末における緊急情報通知方法。
【発明の詳細な説明】
【技術分野】
【０００１】
本発明は携帯電話端末に関し、特に、テレビ受信機能付きの携帯電話端末における臨時ニュースなどの緊急情報の通知機能に関する。
【背景技術】
【０００２】
昨今、携帯電話端末は一般に広く普及し、日常生活の必需品の一部となっている。更に、携帯電話端末にテレビ受信機を内蔵することによって、今までの携帯電話端末の機能だけでは得ることができなかった様々な情報を何処でも得ることが可能となった。また、テレビ放送においては、事件報道や地震、津浪、台風等の自然災害、あるいは選挙速報等が、文字テロップにて臨時ニュースまたは緊急放送として報道される。その中で臨時ニュース等の、時には人命に関わるような緊急情報も含まれており、そういった情報は逆にテレビ受信機を内蔵する携帯電話端末を所有する者でしか知り得ない情報であり、一般の携帯電話端末所有者が知ることは不可能であった。また、テレビ受信機を内蔵する携帯電話端末を所有する者であっても、たまたまその画面を見逃してしまい、臨時ニュースの内容を知ることができない可能性があった。このような事態に対応する関連技術として、ユーザが外出中において、緊急警報が放送されたときには、当該緊急放送を通信回線を介して指定先に音声信号を送信する技術が開示されている（例えば、特許文献１参照）。
【０００３】
【特許文献１】特開２００１−２１１４４１号公報（請求項１、段落番号０００６および図１）
【発明の開示】
【発明が解決しようとする課題】
【０００４】
しかしながら、背景技術に示された公報では、送信側、つまり放送局側がデータに臨時ニュースを判別するデータビット等を組み込む必要があり、また受信後の通達方式についても、新たな変換回路等を設ける必要がある。すなわち送受信側とも現行方式を変更しなければならない。
【０００５】
本発明の目的は、上述した問題点を解決するためになされるもので、放送局側に新たな変更を加えることなく、また受信側ではテレビ受信機能付きの携帯電話端末を利用し、臨時ニュース等の緊急情報の内容を自端末だけでなく他の登録済みの携帯電話端末宛にメールで通知することが可能な携帯電話端末およびその緊急情報通知方法を提供することにある。
【課題を解決するための手段】
【０００６】
請求項１に記載の本発明は、テレビ受信機能付きの携帯電話端末であって、放送局から送信される所定のアラーム音を検出すると共にテレビ画面のテロップ領域内の文字色信号パターンを識別し緊急情報を受信したことを認識する制御手段を備える。
【０００７】
請求項２に記載の本発明は、請求項１において、前記制御手段は、前記緊急情報の受信を認識し当該のテレビ画面を録画する。
【０００８】
請求項３に記載の本発明は、請求項２において、前記制御手段は、前記録画したテレビの動画データをメールに添付し予め登録した宛先に送信する。
【０００９】
請求項４に記載の本発明は、請求項２において、前記制御手段は、前記録画したテレビの動画データを静止画データに変換した後この静止画データをメールに添付し予め登録した宛先へ送信する。
【００１０】
請求項５に記載の本発明は、請求項４において、前記制御手段は、変換した静止画データの文字テロップ領域の文字情報をテキストデータに変換し、メール本文に編集して予め登録した宛先へ送信する。
【００１１】
請求項６に記載の本発明は、請求項１から５いずれか１項において、前記制御手段は、ユーザ指定に基づき前記緊急情報の識別通知機能のオン・オフ設定を行う。
【００１２】
請求項７に記載の本発明は、受信したテレビ放送の電波を検波するチューナ部を有するテレビ受信機能付きの携帯電話端末であって、前記チューナ部が出力するアナログ音声信号からアラーム音の周波数成分を抽出しその周波数成分のレベルが予め定めたしきい値を超え且つある一定のパターンと同一であるか否かを判別するアラーム判別部と、前記チューナ部が出力する映像信号によるテレビ画面上に予め定めたテロップ領域の走査線内の信号が予め登録されている複数の緊急情報のいずれかを示す信号パターンに該当するか否かを判別するテロップ判別部と、自携帯電話端末の各部を制御する中央制御部とを備え、前記中央制御部は、前記アラーム判別部および前記テロップ判別部の判別結果に基づき緊急情報を受信したことを認識する緊急情報認識部と、前記緊急情報認識部の指示に基づき当該のテレビ画面の録画制御を行い携帯電話端末内蔵のメモリへの保存を行う録画制御部と、前記録画した緊急情報の動画データをメールに添付し予め登録した宛先へ送信するメール編集部とを備える。
【００１３】
請求項８に記載の本発明は、受信したテレビ放送の電波を検波するチューナ部を有するテレビ受信機能付きの携帯電話端末であって、前記チューナ部が出力するアナログ音声信号からアラーム音の周波数成分を抽出しその周波数成分のレベルが予め定めたしきい値を超え且つある一定のパターンと同一であるか否かを判別するアラーム判別部と、前記チューナ部が出力する映像信号によるテレビ画面上に予め定めたテロップ領域の走査線内の信号が予め登録されている複数の緊急情報のいずれかを示す信号パターンに該当するか否かを判別するテロップ判別部と、中央制御部とを備え、前記中央制御部は、前記アラーム判別部および前記テロップ判別部の判別結果に基づき緊急情報を受信したことを認識する緊急情報認識部と、前記緊急情報認識部の指示に基づき当該のテレビ画面の録画制御を行い携帯電話端末内蔵のメモリへの保存を行う録画制御部と、前記メモリに保存された動画データを読出し文字テロップの文面が変更になった画面を静止画データに変換し前記メモリに書き込む画像変換部と、前記画像変換部によって変換された静止画データをメールに添付し予め登録した宛先へ送信するメール編集部とを備える。
【００１４】
請求項９に記載の本発明は、請求項８において、前記中央制御部は、静止画像のテロップ部分を文字認識してテキスト変換する文字認識部と、前記文字認識部によりテキスト変換された文字情報をメールの本文として編集すると共に前記画像変換部によって変換された静止画データをメールに添付し予め登録した宛先へ送信するメール編集部とを備える。
【００１５】
請求項１０に記載の本発明は、テレビ受信機能付きの携帯電話端末によって受信したテレビ放送の緊急情報を通知する携帯電話端末における緊急情報通知方法であって、受信したテレビ放送の音声信号の中に所定のアラーム音が存在するか否かを検出するステップと、受信したテレビ放送の映像信号の中のテレビ画面の指定領域に所定のテロップが存在するか否かを検出するステップと、前記アラーム音および前記テロップが存在することで緊急情報の発生を認識するステップと、前記緊急情報の発生により当該のテレビ画面の録画を開始するステップと、前記緊急情報の放送終了を検出するステップと、この放送終了により当該テレビ画面の録画を終了させるステップと、前記録画終了後この録画データを自携帯電話端末のメモリに保存するステップとを有する。
【００１６】
請求項１１に記載の本発明は、請求項１０において、前記緊急情報の発生を認識するステップは、テレビ放送受信後、視聴中のチャネルで使用するアラーム音の周波数成分を自携帯電話端末のメモリから読出すステップと、受信したテレビの音声信号からアラーム音の周波数成分を抽出し前記メモリから読出した周波数成分と比較するステップと、この比較の結果アラーム音の周波数成分の存在を確認するステップと、アラーム音が存在する場合このアラーム音の周波数成分のレベルがしきい値以上で且つ一定のパターンであることを確認するステップと、受信したテレビの映像信号からテレビ画面の指定領域内の信号パターンを抽出するステップと、この抽出した信号パターンが前記メモリ内に予め登録したいずれかのパターンに該当することを確認するステップとを含む。
【００１７】
請求項１２に記載の本発明は、請求項１０において、前記メモリに保存された録画データを読出すステップと、この読出した録画データをメールに添付するステップと、自携帯電話端末のアドレス帳より予め登録した特定のグループ読出すステップと、この読出した宛先へ前記録画データが添付されたメールを送信するステップとを有する。
【００１８】
請求項１３に記載の本発明は、請求項１０において、前記メモリ内に保存された録画データを読出すステップと、最初の一画面分を静止画として前記メモリに保存するステップと、次画面のテロップ表示領域の信号パターンをモニタしこの信号パターンが前画面と同一か否かを確認するステップと、この確認結果同一でないときには一画面分を静止画として前記メモリに保存するステップと、次の画面が存在するか否かを確認するステップと、次の画面が存在しないとき前記メモリに保存された全てのテレビの静止画データを読出すステップと、この読出した静止画データをメールに添付するステップと、自携帯電話端末のアドレス帳より予め登録した特定のグループを読出すステップと、この読出した宛先へ録画データが添付されたメールを送信するステップとを有する。
【００１９】
請求項１４に記載の本発明は、請求項１３において、全ての静止画像のテロップ部分のみを文字認識しテキストに変換するステップと、この変換した内容をメール文章に編集するステップと、この編集したメールを前記静止画データと共に予め登録した宛先へ送信するステップとを有する。
【００２０】
本発明は、テレビ受信機を内蔵し且つ通常のメール機能を有する携帯電話端末において、テレビ視聴中に臨時ニュースなどの緊急放送が入った場合、予め登録した他の携帯電話端末所有者に対し、その内容をメールにて通達することを特徴とする。
【発明の効果】
【００２１】
本発明によれば、第１の効果としては、臨時ニュースが発生すると自動的に録画を行うため、その時画面を見逃していた場合でも、あとでその臨時ニュース内容を確認することができる。また第２の効果としては、臨時ニュース等の緊急情報をメールにて他者に通知することにより、テレビ受信機非内蔵の携帯電話端末所有者でも緊急情報の内容を把握することができる。更に第３の効果としては、録画した臨時ニュースの内容を必要最低限の静止画およびテキストデータに変換しメールすることにより、携帯電話端末の記憶容量を大幅に低減することができる。
【発明を実施するための最良の形態】
【００２２】
次に、本発明を実施するための最良の形態について図面を参照して詳細に説明する。図１（ａ）はテレビ受信機能付きの携帯電話端末のブロック図である。（ｂ）は（ａ）における中央制御部の本発明に係わる部分を示すブロック図である。図１（ａ）を参照すると、携帯電話端末１００は、アンテナ１０１，ＰＤＣ無線／復調部１０２，ＴＶチューナ部１０３，中央制御部１０４，メモリ１０５，テロップ判別部１０６，アラーム判別部１０７，キー操作部１０８，ＬＣＤ表示部１０９，デコーダ１１０，スピーカ１１１およびフィルタ部１１２を備える。自携帯電話端末の各部を制御する中央制御部は、緊急情報認識部１０４１と、録画制御部１０４２と、メール編集部１０４３と、画像変換部１０４４と、文字認識部１０４５とを備える。
【００２３】
緊急情報認識部１０４１は、アラーム判別部１０７およびテロップ判別部１０６の判別結果に基づき緊急情報を受信したことを認識する。録画制御部１０４２は緊急情報認識部の指示に基づき当該のテレビ画面の録画制御を行い携帯電話端末内蔵のメモリ１０５への保存を行う。メール編集部１０４３は録画した緊急情報の動画データをメールに添付し予め登録した宛先へ送信する。画像変換部１０４４はメモリ１０５に保存された動画データを読出し文字テロップの文面が変更になった画面を静止画データに変換しメモリ１０５に書き込む。文字認識部１０４５は静止画像のテロップ部分を文字認識してテキスト変換する。
【００２４】
なお，画像変換部１０４４および文字認識部１０４５は、携帯電話端末の基本形態としては設けなくてもよく、必要に応じて選択的に追加可能であり、画像変換部１０４４が追加された場合には、メール編集部１０４３は画像変換部１０４４によって変換された静止画データをメールに添付し予め登録した宛先へ送信する。また、文字認識部１０４５が追加された場合には、メール編集部１０４３は、文字認識部１０４５によりテキスト変換された文字情報をメールの本文として編集すると共に画像変換部１０４４によって変換された静止画データをメールに添付し予め登録した宛先へ送信する。これら機能の選択設定のＯＮ／ＯＦＦは、ユーザがキー操作部１０８を操作することにより任意に設定する。
【００２５】
携帯電話の電波およびテレビの電波は、アンテナ１０１を介してフィルタ部１１２に入力される。フィルタ部１１２では携帯電話の電波はＰＤＣ無線／復調部１０２へ、テレビの電波はＴＶチューナ部１０３へと分配される。テレビ視聴時には、ＴＶチューナ部１０３は受信した電波を検波し、映像信号は、テロップ判別部１０６およびデコーダ部１１０を介し、映像としてＬＣＤ表示部１０９に表示され、アナログ音声信号は、アラーム判別部１０７およびデコーダ部１１０を介し、音声としてスピーカ１１１より出力される。臨時ニュースが発生した場合、ほとんどがアラーム音とともに、図２（ａ）のテレビ画面２０１内の下部テロップ部２０２および上部テロップ部２０３のどちらかに表示される。
【００２６】
アラーム判別部１０７では、様々の音色が混在するアナログ音声信号から、アラーム音の周波数成分を抽出し、その周波数成分のレベルが予め決められているしきい値Ａ以上、およびある一定のパターンであるか否かを判定する。また、アラーム音は各放送局により音色・パターン（鳴音時間間隔）が異なる為、現在視聴している放送局のアラーム音の周波数およびパターンをメモリ１０５に予め登録されている各放送局のアラーム音の周波数データおよびパターンデータの中から読み出す。抽出したアラーム音の周波数成分のレベルがしきい値Ａ以上であり、尚且つ現在視聴中の放送局のアラーム音のパターンと同一であったなら、アラーム音ありと判定する。
【００２７】
更に、テロップ判別部１０６では、図２（ａ）の下部テロップ部２０２および上部テロップ部２０３の走査線内の白色信号数が、メモリ１０５内に予め登録されているいくつかの信号パターン、例えば「臨時ニュース」、「地震情報」、「選挙速報」等の何れかに該当するか判定する。（臨時ニュースの文字表示の色は、各放送局で異なる場合があるが、そのほとんどが白色である為、ここでは白色とする。テロップ内の白色信号パターンがメモリ１０５内予め登録されている信号パターンの何れかであった場合、テロップ表示ありと判定し、臨時ニュースが入ったことを認識する。どの信号パターンにも該当しなかった場合、前者で認識した音声はアラーム音ではなく、視聴中番組の効果音であると判定する。
【００２８】
臨時ニュースが入ったことを認識すると、中央制御部１０４はＬＣＤ表示部１０９に表示されている画像の録画を開始する。この録画は、図３（ａ）のように、文字を形成している白色信号数が、設定範囲Ｂ〜Ｃ内の間続けられる。設定範囲Ｂ〜Ｃは、予めメモリ１０５内に設けられている値であり、テロップ内に文字を表示した際、最大画数で最大表示文字数を形成した場合の白色信号数をＢ、最小画数で最小表示文字数を形成した場合の白色信号数をＣとしている。図３（ｂ）のように、テロップ部が全て白色信号だったり、または白色信号数が設定範囲Ｂより多い場合は、テロップ部には雪景色や雲等の番組背景の一部を表示しているものと認識し、臨時ニュースの表示が終了したと判断し、画像の録画を終了する。また図３（ｃ）のようにテロップ部全てが白色信号以外、および白色信号数が設定範囲Ｃ未満の微少な数であった場合も、テロップ内に文字は表示されていない判断し、録画を終了する。録画された画像データはメモリ１０５に保存される。メモリ１０５内に保存された画像データは、メールに添付され、宛先を予めメモリ１０５に設定されている臨時ニュース送信先のグループに指定し、ＰＤＣ無線部１０２を介して送信される。
【００２９】
次に、本実施の形態の動作を説明する。始めに図４を参照し、ＴＶ視聴時に臨時ニュースが発生しメモリへ保存するまでの動作を説明する。携帯電話端末のテレビ受信機能をＯＮし、テレビの電波を受信し視聴を開始すると（ステップ４１：Ｓ４１と略称、以降同様）、臨時ニュースの発生を感知する為、テレビ音声内のアラーム音をサーチする（Ｓ４２）。テレビ音声内にアラーム音がありと判定すると（Ｓ４２でＹＥＳ）、続いてテレビ画面の指定領域に文字テロップが発生したか否かをサーチする（Ｓ４３）。文字テロップがありと判定すると（Ｓ４３でＹＥＳ）、「臨時ニュースあり」と判断する（Ｓ４３）。テレビ音声内にアラーム音が無かった場合（Ｓ４２でＮＯ）またはテレビ画面の指定領域に文字テロップが無かった場合（Ｓ４３でＮＯ）には、臨時ニュースは無いものと判断し、アラーム音のサーチ状態に移行する。臨時ニュースが発生したと判断すると（Ｓ４４）、視聴中のテレビ画面の録画を開始し（Ｓ４５）、臨時ニュースが終了すると（Ｓ４６）、その録画データをメモリ１０５へ保存する（Ｓ４８）。
【００３０】
次に、図５を参照し、メモリに保存された録画データを指定の宛先へ送信するまでの動作を説明する。メモリ１０５に保存されたテレビの録画データは、他者へその内容を通知する為のメールを作成の際に、メモリ１０５より読み出され（Ｓ５１）、そのメールに添付される（Ｓ５２）。更に送信先のアドレスを、アドレスフォルダ内に予めユーザが任意に登録している「臨時ニュース送信先グループ」を読み出し（Ｓ５３）、設定する（Ｓ５４）。以上の一連の動作が完了後、メールは予め指定されていた宛先へ送信され（Ｓ５５）、臨時ニュースの内容が通知される。
【００３１】
次に、テレビ視聴時、臨時ニュースが発生したことを認識する過程の詳細を、図６を参照して説明する。臨時ニュースのアラーム音は各放送局によって異なる為、予めメモリ１０５内に登録されている各放送局の周波数成分のパラメータより、現在視聴中の放送局のアラーム音に該当する周波数成分を読み出す（Ｓ６２）。読み出したアラーム音の周波数成分を基に、テレビ音声に含まれるアラーム音を抽出する（Ｓ６３）。アラーム音の周波数成分が抽出され（Ｓ６４でＹＥＳ）、その周波数成分のレベルが予め設けられたしきい値レベルＡ以上且つアラーム鳴音パターンが、ある一定のパターンであった場合（Ｓ６５でＹＥＳ）、アラーム音ありと判定する。続いてテレビ画面内の指定領域（テロップ表示領域）の白色信号（文字の表示色）を抽出する（Ｓ６６）。抽出した白色信号の信号パターンが、メモリ１０５内に予め登録されている信号パターン「臨時ニュース」、「地震情報」、「選挙速報」等の何れかであった場合（Ｓ６７でＹＥＳ）、「臨時ニュースあり」と判定する（Ｓ６８）。アラーム音の周波数成分抽出の際（Ｓ６３）、アラーム音の周波数成分が抽出されなかった場合（Ｓ６４にてＮＯ）、アラーム音は無いものと判定し、再びアラーム音のサーチに移行する。また、抽出したアラーム音の周波数成分のレベルがしきい値Ａより低い、またはアラーム鳴音パターンが一定のパターンでなかった場合（Ｓ６５にてＮＯ）、抽出した白色信号の信号パターンが、メモリ１０５内に予め登録されている信号パターンの何れにも該当しなかった場合（Ｓ６７にてＮＯ）は、Ｓ６３にて抽出した周波数成分は視聴中番組の音声・効果音の一部と判断し、再びアラーム音のサーチに移行する。
【００３２】
また、臨時ニュース発生時に録画した画像データ（動画）を静止画に変換し、他者へメールに添付して送付する構成としても良い。これにより、限られているメモリ容量の負荷を低減させることが可能となる。この実施の形態を図７のフローチャートを参照して説明する。録画した臨時ニュースの画像データ（動画）をメモリ１０５より読み出し（Ｓ７１）、最初の一画面分を静止画としてメモリ１０５に保存する（Ｓ７２）。次画面のテロップ領域の白色信号パターンをモニタし（Ｓ７３）、その白色信号パターンが前画面と同じか比較する（Ｓ７４）。前画面と同じなら（Ｓ７４にてＹＥＳ）、テロップに同じ文面が表示されていると認識し次画面の信号パターンをモニタ、前画面と比較する。前画面の白色信号パターンと違うと判定された場合（Ｓ７４にてＮＯ）、テロップには次の文面が表示されたと認識し、その画面を静止画としてメモリ１０５に保存する（Ｓ７５）。次画面があった場合、同様に前画面の白色信号パターンとの比較を行い（Ｓ７６にてＹＥＳ）、無い場合は臨時ニュースが終了したと判断し、静止画の全データをメールの添付ファイルとして、「臨時ニュース送信先グループ」に送信、臨時ニュースを通知する。これにより、長文のため何画面にか渡って表示された文字テロップでも、文面が変わった一画面のみを静止画として送信することができるため、必要最低限の容量で文字情報を漏らすことなく他者に通知することが可能となる。
【００３３】
更に、上述した方法にて静止画に変換した画像データより、ＯＣＲ機能等の文字認識システムを利用し、表示されている文字情報をテキスト変換するように構成しても良い。これにより、画像データのテロップ部の文字情報をテキストデータに変換しメール文面として送付する為、更にメモリ容量の大幅な削減が可能となる。この実施の形態を図８のフローチャートを用いて詳細に説明する。静止画として保存した画像データを読み出した後（図７のＳ７７）、静止画像内の文字情報をテキスト変換してメールすると設定した場合（Ｓ８１でＹＥＳ）、静止画像の文字テロップ領域内の文字情報を文字認識システムを用いてテキスト変換する（Ｓ８２）。テキスト変換された文字情報は、メール本文に変換され（Ｓ８３）、「臨時ニュース送信先グループ」に送信、臨時ニュースを通知する。また、図２（ｂ）のテレビ画面２０４のように文字テロップ領域内に、同色にて複数の文字情報が混在していた場合は、図２（ｂ）中に示されたＡ〜Ｃのテロップ領域をユーザの選択によって決定することが可能な手段（図示せず）を設ける。
【図面の簡単な説明】
【００３４】
【図１】（ａ）は本発明の実施の形態を示す携帯電話端末のブロック図である。（ｂ）は（ａ）における中央制御部の本発明に係わる部分を示すブロック図である。
【図２】（ａ）は本発明の携帯電話端末におけるＬＣＤ表示部の文字テロップ表示例を示す図である。（ｂ）は本発明の携帯電話端末におけるＬＣＤ表示部の文字テロップ表示例を示す図である。
【図３】（ａ）は本発明の携帯電話端末におけるＬＣＤ表示部の文字テロップ部の拡大表示例を示す図である。（ｂ）は本発明の携帯電話端末におけるＬＣＤ表示部の文字テロップ部の拡大表示例を示す図である。（ｃ）は本発明の携帯電話端末におけるＬＣＤ表示部の文字テロップ部の拡大表示例を示す図である。
【図４】ＴＶ視聴時に臨時ニュースが発生しメモリへ保存するまでの動作を説明するためのフローチャートである。
【図５】メモリに保存された録画データを指定の宛先へ送信するまでの動作を説明するためのフローチャートである。
【図６】ＴＶ視聴時、臨時ニュースを検出するまでの動作を説明するためのフローチャートである。
【図７】録画されたテレビ画面（動画）を静止画およびテキストデータに変換するまでの動作を説明するためのフローチャートである。
【図８】録画されたテレビ画面（動画）を静止画およびテキストデータに変換するまでの動作を説明するためのフローチャートである。
【符号の説明】
【００３５】
１００    携帯電話端末
１０１    アンテナ
１０２    ＰＤＣ無線／復調部
１０３    ＴＶチューナ部
１０４    中央制御部
１０５    メモリ
１０６    テロップ判別部
１０７    アラーム判別部
１０８    キー操作部
１０９    ＬＣＤ表示部
１１０    デコーダ
１１１    スピーカ
１１２    フィルタ部
２０１，２０４    テレビ画面
２０２    下部テロップ部
２０３    上部テロップ部
１０４１    緊急情報認識部
１０４２    録画制御部
１０４３    メール編集部
１０４４    画像変換部
１０４５    文字認識部
【図１】
2005117584.tif 000003
【図２】
2005117584.tif 000004
【図３】
2005117584.tif 000005
【図４】
2005117584.tif 000006
【図５】
2005117584.tif 000007
【図６】
2005117584.tif 000008
【図７】
2005117584.tif 000009
【図８】
2005117584.tif 000010